(57)【要約】【課題】チャンネルの順選局時に、番組が放送されている所望のチャンネルへの切り替えを迅速に行うことができるデジタル放送受信装置を提供する。【解決手段】起動時または定期的に、受信したデジタル放送信号のＴＳ（Transport Stream）に含まれるＥＩＴ（Event  Information Table）から各チャンネルの一定期間の番組情報を検出し、該番組情報から各チャンネルの一定期間の番組が放送されない時間帯を検出して、該時間帯情報をメモリに記憶する。デジタル放送のチャンネルの順選局時に、次に選局する予定にある選局予定チャンネルと現在日時とメモリに記憶している時間帯情報に基づいて、現在選局予定チャンネルで番組が放送されているか否かを判定し、番組が放送されていれば、選局予定チャンネルを選局し、番組が放送されていなければ、選局予定チャンネルの選局をスキップして、選局予定チャンネルを次のチャンネルに切り替える。【選択図】図４
2008288676.tif 000002
【特許請求の範囲】
【請求項１】
デジタル放送の各チャンネルを選局し、前記各チャンネルの放送信号を受信する選局手段と、前記チャンネルを番号の順に選局する指示を入力する順選局指示手段と、前記放送信号を処理して映像と音声と情報の各データを検出する検出手段と、前記映像データと前記音声データを処理して映像信号と音声信号を出力する出力手段とを備えたデジタル放送受信装置において、
前記検出手段は、予め設定されたタイミングで、受信した前記放送信号から前記情報データを検出して、該情報データから前記各チャンネルの一定期間の番組情報を検出し、該番組情報から各チャンネルの一定期間の番組が放送されない時間帯を検出して、該時間帯情報をチャンネル毎に記憶手段に記憶し、
前記選局手段は、前記順選局指示手段による前記チャンネルの順選局指示の入力時に、次に選局する予定にある選局予定チャンネルと現在日時と前記時間帯情報とに基づいて、前記選局予定チャンネルで番組が放送されているか否かを判定し、番組が放送されていれば、前記選局予定チャンネルを選局し、番組が放送されていなければ、前記選局予定チャンネルを選局せずに、前記選局予定チャンネルを次のチャンネルに切り替えることを特徴とするデジタル放送受信装置。
【請求項２】
請求項１に記載のデジタル放送受信装置において、
前記検出手段は、起動時にまたは定期的に、前記時間帯情報の検出と記憶を行うことを特徴とするデジタル放送受信装置。
【請求項３】
ＤＶＢ ＳＩ（Digital Video  Broadcast Service Information）規格に準拠したデジタル放送の各チャンネルを選局し、前記各チャンネルの放送信号を受信する選局手段と、前記チャンネルを番号の昇順に選局する指示を入力するチャンネルアップキーと、前記チャンネルを番号の降順に選局する指示を入力するチャンネルダウンキーと、前記放送信号を処理してＴＳ（Transport Stream）を検出し、該ＴＳから映像ストリームと音声ストリームとＰＳＩ（Program Specific Information）／ＳＩ（Service Information）を検出する検出手段と、前記映像ストリームと前記音声ストリームを処理して映像信号と音声信号を出力する出力手段と、前記映像信号に基づく映像を表示する映像表示手段と、前記音声信号に基づく音声を出力する音声出力手段とを備えたデジタル放送受信装置において、
前記検出手段は、起動時にまたは定期的に、検出した前記ＴＳの前記ＳＩからＥＩＴ（Event  Information Table）を検出し、該ＥＩＴから前記各チャンネルの一定期間の番組情報を検出し、該番組情報から各チャンネルの一定期間の番組が放送されない時間帯を検出して、該時間帯情報をチャンネル毎に記憶手段に記憶し、
前記選局手段は、前記チャンネルアップキーまたは前記チャンネルダウンキーによる前記チャンネルの順選局指示の入力時に、次に選局する予定にある選局予定チャンネルと現在日時と前記時間帯情報とに基づいて、前記選局予定チャンネルで番組が放送されているか否かを判定し、番組が放送されていれば、前記選局予定チャンネルを選局し、番組が放送されていなければ、前記選局予定チャンネルの選局をスキップして、前記選局予定チャンネルを次のチャンネルに切り替えることを特徴とするデジタル放送受信装置。
【発明の詳細な説明】
【技術分野】
【０００１】
本発明は、チャンネルを番号の順に選局するデジタル放送受信装置に関するものである。
【背景技術】
【０００２】
一般にデジタル放送では、アナログ放送に比べて、チャンネル数が多くなっている。このため、デジタル放送受信装置において、デジタル放送の所望のチャンネルへの切り替え操作に、チャンネルを番号の昇順または降順に選局するチャンネルアップ／ダウンキー（チャンネルアップキーまたはチャンネルダウンキー）を用いると、番組が放送されていないチャンネルまで選局してしまい、所望のチャンネルへの切り替えに時間がかかるという問題があった。
【０００３】
一方、所望のチャンネルへの切り替えを迅速にするため、下記の特許文献１に記載されているデジタル放送受信装置では、ある時間間隔で、デジタル放送の各チャンネルのＴＳ（Transport Stream）から各チャンネルに関する情報を抽出して、該情報を所定のテーブルに書き込む。そして、チャンネルのアップまたはダウンの信号を受けると、上記テーブルを参照して、次に選局する予定のチャンネルがある条件に当てはまれば（放送中である等）、該チャンネルを選局し、該チャンネルがある条件に当てはまらなければ（放送休止中である等）、該チャンネルの選局を避ける。
【０００４】
また、下記の特許文献２に記載されているデジタル放送受信装置では、第１のタイミングで、選局中のチャンネルを特定するためのチャンネル情報を生成して、該チャンネル情報を特定した時刻が属する時間帯と対応付けて記憶部に記憶する。そして、第２のタイミングで、現在時刻が属する時間帯と対応付けて記憶されているチャンネル情報を記憶部から読み出して、該チャンネル情報により特定されるチャンネルを選局する。
【０００５】
さらに、下記の特許文献３に記載されているデジタル放送受信装置では、予めユーザが時間帯に対して割り当てたチャンネルを記憶部に記憶する。そして、チャンネル選択時に、現在時刻が属する時間帯に割り当てられたチャンネルを記憶部から読み出して、該チャンネルを選局する。
【０００６】
【特許文献１】特開２００１−１７７７７８号公報
【特許文献２】特開２００１−２９２０６９号公報
【特許文献３】特開平１０−３１３４３１号公報
【発明の開示】
【発明が解決しようとする課題】
【０００７】
上述した特許文献１では、各チャンネルの進行状態（放送の実行または休止）をＴＳから検出してテーブルに記憶するが、各チャンネルにおける時間帯別の番組の放送の有無までは考慮していない。このため、例えば深夜等にあるチャンネルで番組は放送されていないが試験データ等が放送されている場合には、チャンネルアップ／ダウンキーによるチャンネルの順選局時に、該チャンネルが番組を視聴できないにもかかわらず選局されてしまう。また、特許文献１では、ある時点での各チャンネルの進行状態をＴＳから検出してテーブルに記憶するので、あるチャンネルの進行状態が数秒以内等の短時間で変化する場合には、短い時間間隔でテーブルの情報を更新しなければ、放送休止中のチャンネルが選局されてしまい、短い時間間隔でテーブルの情報を更新しようとすると、チャンネル順選局の準備処理に時間と負担がかかってしまう。特許文献２、３では、ある時間帯に、ユーザが以前視聴していたチャンネルまたはユーザが予め割り当てたチャンネルを、所望のチャンネルとして選局するが、該チャンネルで該時間帯に番組が放送されなかった場合には、該チャンネルが番組を視聴できないにもかかわらず選局されてしまう。
【０００８】
本発明は、以上のような問題点を解決するものであって、その課題とするところは、チャンネルの順選局時に、番組が放送されている所望のチャンネルへの切り替えを迅速に行うことができるデジタル放送受信装置を提供することにある。
【課題を解決するための手段】
【０００９】
本発明では、デジタル放送の各チャンネルを選局し、各チャンネルの放送信号を受信する選局手段と、チャンネルを番号の順に選局する指示を入力する順選局指示手段と、放送信号を処理して映像と音声と情報の各データを検出する検出手段と、映像データと音声データを処理して映像信号と音声信号を出力する出力手段とを備えたデジタル放送受信装置において、検出手段は、予め設定されたタイミングで、受信した放送信号から情報データを検出して、該情報データから各チャンネルの一定期間の番組情報を検出し、該番組情報から各チャンネルの一定期間の番組が放送されない時間帯を検出して、該時間帯情報をチャンネル毎に記憶手段に記憶する。選局手段は、順選局指示手段によるチャンネルの順選局指示の入力時に、次に選局する予定にある選局予定チャンネルと現在日時と前記時間帯情報とに基づいて、選局予定チャンネルで番組が放送されているか否かを判定し、番組が放送されていれば、選局予定チャンネルを選局し、番組が放送されていなければ、選局予定チャンネルを選局せずに、選局予定チャンネルを次のチャンネルに切り替える。
【００１０】
このようにすると、デジタル放送のチャンネルの順選局時に、番組が放送されているチャンネルのみが選局されるので、番組が放送されている所望のチャンネルへの切り替えを迅速に行うことができる。また、放送信号から一定期間の各チャンネルの番組が放送されない時間帯を検出して記憶するので、一定期間内では該時間帯情報を更新する必要がなく、チャンネル順選局の準備処理（前記時間帯情報の作成や更新）にかかる時間と負担を軽減することができる。
【００１１】
また、本発明では、上記デジタル放送受信装置において、検出手段は、起動時にまたは定期的に、前記時間帯情報の検出と記憶を行う。
【００１２】
前記時間帯情報の作成や更新を、起動時に行って、以降の駆動中に行わないようにすることで、以降の駆動中にそのチャンネル順選局の準備処理にかかる時間と負担を軽減することができる。また、前記時間帯情報の作成や更新を、一定期間毎または一定期間より若干短い期間毎に定期的に行うことで、チャンネル順選局の準備処理の実行頻度を減少させて、該準備処理にかかる時間と負担を軽減することができる。さらに、上記のように前記時間帯情報の作成や更新を行うことで、前記時間帯情報の正確さを保持して、番組が確実に放送されている所望のチャンネルへの切り替えを常に迅速に行うことができる。
【００１３】
さらに、本発明の典型的な実施形態では、ＤＶＢ ＳＩ（Digital Video Broadcast Service Information）規格に準拠したデジタル放送の各チャンネルを選局し、各チャンネルの放送信号を受信する選局手段と、チャンネルを番号の昇順に選局する指示を入力するチャンネルアップキーと、チャンネルを番号の降順に選局する指示を入力するチャンネルダウンキーと、放送信号を処理してＴＳ（Transport Stream）を検出し、該ＴＳから映像ストリームと音声ストリームとＰＳＩ（Program Specific Information）／ＳＩ（Service Information）を検出する検出手段と、映像ストリームと音声ストリームを処理して映像信号と音声信号を出力する出力手段と、映像信号に基づく映像を表示する映像表示手段と、音声信号に基づく音声を出力する音声出力手段とを備えたデジタル放送受信装置において、検出手段は、起動時にまたは定期的に、検出したＴＳのＳＩからＥＩＴ（Event Information Table）を検出し、該ＥＩＴから前記各チャンネルの一定期間の番組情報を検出し、該番組情報から各チャンネルの一定期間の番組が放送されない時間帯を検出して、該時間帯情報をチャンネル毎に記憶手段に記憶する。選局手段は、チャンネルアップキーまたはチャンネルダウンキーによるチャンネルの順選局指示の入力時に、次に選局する予定にある選局予定チャンネルと現在日時と前記時間帯情報とに基づいて、選局予定チャンネルで番組が放送されているか否かを判定し、番組が放送されていれば、選局予定チャンネルを選局し、番組が放送されていなければ、選局予定チャンネルの選局をスキップして、選局予定チャンネルを次のチャンネルに切り替える。
【００１４】
このようにすると、デジタル放送のチャンネルの順選局時に、番組が放送されていないチャンネルの選局がスキップされて、番組が放送されているチャンネルのみが選局されるので、番組が放送されている所望のチャンネルへの切り替えを迅速に行うことができる。また、番組が放送されていないチャンネルの不要な映像（砂あらし画像）が映像表示手段に表示されず、該チャンネルの不要な音声（ノイズ音）が音声出力手段から出力されないので、ユーザが該不要な映像と音声を視聴して不快になるのを防止することができる。また、ＴＳから各チャンネルの一定期間の番組が放送されない時間帯を検出して記憶するので、一定期間内では該時間帯情報を更新する必要がなく、チャンネル順選局の準備処理にかかる時間と負担を軽減することができる。特に、前記時間帯情報の作成や更新を、起動時に行って、以降の駆動中に行わないようにすることで、以降の駆動中にそのチャンネル順選局の準備処理にかかる時間と負担を省略することができる。また、前記時間帯情報の作成や更新を、一定期間毎または一定期間より若干短い期間毎に定期的に行うことで、チャンネル順選局の準備処理の実行頻度を減少させて、該準備処理にかかる時間と負担を軽減することができる。さらに、上記のように前記時間帯情報の作成や更新を行うことで、前記時間帯情報の正確さを保持して、番組が確実に放送されている所望のチャンネルへの切り替えを常に迅速に行うことができる。
【発明の効果】
【００１５】
本発明によれば、デジタル放送のチャンネルの順選局時に、番組が放送されていないチャンネルの選局がスキップされて、番組が放送されているチャンネルのみが選局されるので、番組が放送されている所望のチャンネルへの切り替えを迅速に行うことができる。
【発明を実施するための最良の形態】
【００１６】
図１は、本発明の実施形態に係るデジタル放送受信装置１００のブロック図である。デジタル放送受信装置１００は、デジタル放送とアナログ放送の放送信号を受信して、各チャンネルで放送されている番組の映像を表示し音声を出力するテレビジョン受像機から成る。本実施形態におけるデジタル放送は、ＤＶＢ  ＳＩ（Digital Video Broadcast Service Information）規格に準拠している。デジタル放送受信装置１００のサブ基板１には、チューナモジュールが構築されている。メイン基板２には、ＴＶ（テレビ）のメインシステムが構築されている。
【００１７】
ハイブリッドチューナ（以下、「チューナ」という。）３は、図示しないアンテナを介して取得したデジタル放送のＲＦ（Radio Frequency）信号から、各チャンネルに対応するＩＦ（Intermediate Frequency）信号を抽出して、デモジュレータ４へ出力する。また、チューナ３は、アンテナを介して受信したアナログ放送のＲＦ信号から、各チャンネルに対応するＩＦ信号を抽出し、該ＩＦ信号を復調して、アナログの映像信号と音声信号を生成し、該映像信号をＡＶ  ＳＷ（スイッチ）１２へ出力し（Video（CVBS））、該音声信号をＮＩＣＡＭ（Near Instantaneous Companded   Audio Multiplex）／Ａ２デコーダ１４へ出力する（Audio（SIF））。チューナ３からＮＩＣＡＭ／Ａ２デコーダ１４に入力される音声信号は、ＮＩＣＡＭ方式またはＡ２方式で多重化されている。ＮＩＣＡＭ／Ａ２デコーダ１４は、その多重化された音声信号をデコードして、ＡＶ  ＳＷ１２へ出力する（Audio（L、R））。
【００１８】
チューナ３とメイン基板２に設けられたマイクロコンピュータ（以下、「マイコン」という。）１６とは、ＩＩＣ（Inter Integrated Circuit）バスを介してデータ通信を行う。マイコン１６は、ＣＰＵ、メモリ１６ａ、およびタイマから成る。マイコン１６は、デジタル放送受信装置１００の各部を制御する。また、マイコン１６は、タイマにより日付と時間を計測する。また、マイコン１６は、チューナ３に対してアナログ放送の各チャンネルを選局するためのＡＧＣ（Auto Gain Control）信号を出力する。
【００１９】
デモジュレータ４は、各チャンネルのデジタルのＩＦ信号を復調して、ＴＳ（Transport Stream）を検出し、該ＴＳをＣＩ（Common  Interface）５を介してハイブリッドプロセッサ（以下、「プロセッサ」という。）６へ出力する。デモジュレータ４は、チューナ３に対してデジタル放送の各チャンネルを選局するためのＡＧＣ信号を出力する。チューナ３とデモジュレータ４とは、ＩＩＣバスを介してデータ通信を行う。ＳＷ（スイッチ）８は、チューナ３とデモジュレータ４またはマイコン１６とのデータ通信を切り替える。ＣＩ５には、デスクランブラを内蔵した図示しないＩＣカードが接続される。有料デジタル放送等のスクランブルされたＴＳは、ＣＩ５を介してＩＣカードのデスクランブラにより、そのスクランブルが解除される。マイコン１６は、チューナ３とデモジュレータ４により、デジタル放送とアナログ放送の各チャンネルを選局し、該各チャンネルの放送信号（ＩＦ信号）を受信する。
【００２０】
プロセッサ６は、デマルチプレクサ（Demux）、ＭＰＥＧ（Moving Picture Experts Group）デコーダ、グラフィックコントローラ（Graphic）、およびＣＰＵから成る。プロセッサ６は、デマルチプレクサによりＴＳからＭＰＥＧ−２形式の映像ストリーム（Video Stream）、音声ストリーム（Audio  Stream）、およびＰＳＩ（Program Specific  Information）／ＳＩ（Service Information）等を検出する。ＰＳＩ／ＳＩは、デジタル放送の各チャンネルの放送信号に含まれる映像と音声以外の情報のデータである。プロセッサ６は、ＭＰＥＧデコーダにより映像ストリームをデコードして、映像データを生成する。プロセッサ６は、グラフィックコントローラにより映像データに対して各種の画像処理を行って、映像信号をＡＶ  ＳＷ１２へ出力する（Video（CVBS、Y/C））。プロセッサ６は、ＭＰＥＧデコーダにより音声ストリームをデコードして、音声データを生成し、オーディオＤＡＣ（Digital Analog Converter）７へ出力する。オーディオＤＡＣ７は、音声データを音声信号に変換して、ＡＶ  ＳＷ１２へ出力する（Audio（L、R））。
【００２１】
プロセッサ６のＣＰＵとマイコン１６とは、ＵＡＲＴ（Universal Asynchronous Receiver Transmitter）インタフェイスによりデータ通信を行う。プロセッサ６のＣＰＵは、ＰＳＩ／ＳＩ等の情報をマイコン１６へ送信する。マイコン１６は、ＳＩからＥＩＴ（Event Information Table）を検出し、該ＥＩＴからデジタル放送の各チャンネルの番組情報を検出する。プロセッサ６は、グラフィックコントローラにより、マイコン１６から送信された各種情報に基づく映像データを生成し、該映像データをＭＰＥＧデコーダにより生成した映像データに組み込むＯＳＤ（On Screen Display）処理を行う。このＯＳＤ処理により、ＥＰＧ（Electronic Program Guide）画面、メニュー画面、および各種設定画面の表示が可能となる。
【００２２】
メモリを構成するＥＥＰＲＯＭ９、ＮＯＲ ＦＬＡＳＨ１０、およびＳＤＲＡＭ１１には、プロセッサ６でＴＳを処理するためのデータや、プロセッサ６のＣＰＵがチューナ３とデモジュレータ４とＣＩ５に接続されたＩＣカードをそれぞれ制御するためのデータ等が、予め記憶されていたり、随時記憶されたりする。プロセッサ６のＣＰＵは、各メモリ９〜１１に対してデータの読み書きを行う。また、プロセッサ６のＣＰＵは、デモジュレータ４またはＣＩ５に接続されたＩＣカード対してＩＩＣバスを介してデータ通信を行う。
【００２３】
ＡＶ ＳＷ１２には、チューナ３、ＮＩＣＡＭ／Ａ２デコーダ１４、プロセッサ６、およびオーディオＤＡＣ７からそれぞれ映像信号と音声信号が入力されるだけでなく、デジタル放送受信装置１００にケーブル等により接続された図示しない外部映像機器から映像信号（CVBS）と音声信号（Audio）が入力される。また、デジタル放送受信装置１００と外部映像機器との間で、映像信号と音声信号がＡＶ ＳＷ１２とＳＣＡＲＴ（Syndicat des Constructeurs  d'Appareils Radiorecepteurs et Televiseurs）１、２インタフェイスを介して入出力される。ＡＶ  ＳＷ１２は、スピーカ１７へ出力する音声信号と、スケーラ（Scaler）１５へ出力する映像信号を切り替える。
【００２４】
ＨＤＭＩ（High-Definition  Multimedia Interface）レシーバ１３は、外部映像機器から入力されるコンポーネント（Component）信号またはＨＤＭＩ信号を受信して、スケーラ１５へ出力する。スケーラ１５は、ＡＶ  ＳＷ１２またはＨＤＭＩレシーバ１３から入力される映像信号に対して、画像サイズ変換や画質調整等の画像処理を行った後、該映像信号をＬＶＤＳ（low voltage differential signaling）信号に変換して、ＬＣＤ（Liquid Crystal Display）モジュール１８へ出力する。
【００２５】
ＬＣＤモジュール１８は、入力されるＬＶＤＳ信号に基づいて映像を表示する。スピーカ１７は、入力される音声信号に基づいて音声を出力する。操作キー１９は、デジタル放送受信装置１００の本体前面に設置された操作パネルとリモートコントローラにそれぞれ設けられている。操作キー１９としては種々のものがあるが、その一例としてＣＨ  ＵＰ（チャンネルアップ）キー１９ａとＣＨ  ＤＯＷＮ（チャンネルダウン）キー１９ｂがある。ＣＨ  ＵＰキー１９ａは、各チャンネルを番号の昇順に選局する指示を入力するために操作される。ＣＨ  ＤＯＷＮキー１９ｂは、各チャンネルを番号の降順に選局する指示を入力するために操作される。
【００２６】
上記構成において、チューナ３とデモジュレータ４とマイコン１６は、本発明における選局手段の一実施形態を構成する。デモジュレータ４とプロセッサ６とマイコン１６は、本発明における検出手段の一実施形態を構成する。プロセッサ６とオーディオＤＡＣ７は、本発明における出力手段の一実施形態を構成する。スピーカ１７は、本発明における音声出力手段の一実施形態を構成する。ＬＣＤモジュール１８は、本発明における映像表示手段の一実施形態を構成する。ＣＨ  ＵＰ／ＤＯＷＮキー１９ａ、１９ｂは、本発明における順選局指示手段の一実施形態を構成する。
【００２７】
図２は、ＣＨ（チャンネル）順選局準備処理の手順を示すフローチャートである。本処理は、デジタル放送受信装置１００でデジタル放送を受信する際に、マイコン１６が各部を制御して実行する。マイコン１６は、デジタル放送受信装置１００が起動した時にまたは一定期間が経過する毎（定期的）に、後述するＣＨ無番組時間帯情報２０（図３）の作成／更新タイミングになったと判断する（ステップＳ１：ＹＥＳ）。デジタル放送受信装置１００が起動した時とは、デジタル放送受信装置１００の電源スイッチがＯＮされて、各部が起動した時のことである。一定期間が経過する毎とは、前回の上記作成／更新タイミングから、例えば１週間（２４時間×７日＝１６８時間）等の一定期間が経過した時のことである。上記作成／更新タイミングは、デジタル放送受信装置１００の製造段階で予め設定されているが（初期タイミング）、ユーザがＬＣＤモジュール１８に表示される各種設定画面に従って操作キー１９を操作することで、自由に設定し変更することができる。
【００２８】
マイコン１６は、上記作成／更新タイミングになると（ステップＳ１：ＹＥＳ）、このとき選局中のチャンネルの放送信号より検出したＴＳのＳＩから、ＥＩＴを検出する（ステップＳ２）。上記作成／更新タイミングになったときに選局中のチャンネルとは、予め設定されたデジタル放送の初期チャンネル、前回電源を切断する直前まで選局していたデジタル放送のチャンネル、またはユーザが操作キー１９を操作して選択したデジタル放送のチャンネル等のことである。ＥＩＴには、デジタル放送の全チャンネルの約１週間分の番組情報が含まれている。そこで、マイコン１６は、上記ＥＩＴから各チャンネルの一定期間の番組情報を取得する（ステップＳ３）。具体的には、上記一定期間として、例えば各チャンネルの１週間分の番組情報を取得する。また、各チャンネルの番組情報として、例えば各チャンネルで放送される番組のＩＤ（event_id）と開始時間（start_time）と放送時間（duration）等を取得する。そして、マイコン１６は、上記各チャンネルの番組情報から各チャンネルの一定期間の番組が放送されない時間帯を検出して、該情報をチャンネル毎にメモリ１６ａに記憶し（ステップＳ４）、処理を終了する。
【００２９】
上記のようにＣＨ順選局準備処理を終了すると、メモリ１６ａには、例えば図３に示すようなＣＨ無番組時間帯情報２０が記憶された状態となる。ＣＨ無番組時間帯情報２０は、例えばデジタル放送の全チャンネルの１週間分（４／１（Ｓｕｎ）〜４／７（Ｓａｔ））の番組が放送されない時間帯を示している。例えば１チャンネルでは、４／１（Ｓｕｎ）〜４／７（Ｓａｔ）の間番組が放送されない時間帯が無い、即ち常に番組が放送されることを示している。また、２チャンネルでは、４／１（Ｓｕｎ）はＡＭ３：００〜ＡＭ６：００の間番組が放送されず、４／２（Ｍｏｎ）〜４／７（Ｓａｔ）はＡＭ４：００〜ＡＭ５：００の間番組が放送されないことを示している。
【００３０】
図４は、ＣＨ順選局処理の手順を示すフローチャートである。本処理は、デジタル放送受信装置１００でデジタル放送を受信する際に、マイコン１６が各部を制御して実行する。デジタル放送受信装置１００の起動後に、ユーザ操作によりＣＨ  ＵＰキー１９ａまたはＣＨ
ＤＯＷＮ１９ｂの入力が有ると（ステップＳ１１：ＹＥＳ）、マイコン１６は、デジタル放送のチャンネルを番号の昇順または降順に選局する指示の入力が有ったと判断する。そして、マイコン１６は、次に選局する予定にある選局予定チャンネルを設定して（ステップＳ１２）、現在日時を確認する（ステップＳ１３）。このとき、マイコン１６は、ＣＨ
ＵＰ／ＤＯＷＮキー１９ａ、１９ｂによる順選局指示の入力時に選局中であったチャンネルの次に番号順で選局する予定にあるチャンネルを、選局予定チャンネルとして設定する。つまり、選局中にあるチャンネルの番号の次に大きなまたは小さな番号のチャンネルを、選局予定チャンネルとして設定する。
【００３１】
次に、マイコン１６は、メモリ１６ａに記憶しているＣＨ無番組時間帯情報２０を参照し（ステップＳ１４）、選局予定チャンネルと現在日時とＣＨ無番組時間帯情報２０とに基づいて、現在選局予定チャンネルで番組が放送されているか否かを判定する（ステップＳ１５）。具体的には、マイコン１６は、ＣＨ無番組時間帯情報２０を参照して、現在日時が選局予定チャンネルの番組が放送されない無番組時間帯に含まれているかどうかを確認する。そして、マイコン１６は、現在日時が選局予定チャンネルの無番組時間帯に含まれていなければ、現在選局予定チャンネルで番組が放送されていると判断して（ステップＳ１５：ＹＥＳ）、選局予定チャンネルを選局し（ステップＳ１６）、処理を終了する。
【００３２】
一方、マイコン１６は、現在日時が選局予定チャンネルの無番組時間帯に含まれていれば、現在選局予定チャンネルで番組が放送されていないと判断して（ステップＳ１５：ＮＯ）、選局予定チャンネルの選局をスキップし（飛ばし）（ステップＳ１７）、選局予定チャンネルを次のチャンネルに切り替える（ステップＳ１８）。つまり、ステップＳ１２で設定した選局予定チャンネルを選局せずに、該チャンネルの次に番号順で選局する予定にあるチャンネル（選局をスキップしたチャンネルの番号の次に大きなまたは小さな番号のチャンネル）を、選局予定チャンネルとして新たに設定する。
【００３３】
次に、マイコン１６は、現在日時を確認して（ステップＳ１３）、ＣＨ無番組時間帯情報２０を参照し（ステップＳ１４）、ステップＳ１８で切り替えた選局予定チャンネルと現在日時とＣＨ無番組時間帯情報２０とに基づいて、現在選局予定チャンネルで番組が放送されているか否かを判定する（ステップＳ１５）。そして、マイコン１６は、上述したようにステップＳ１５の判定結果に応じて、ステップＳ１６を実行して処理を終了し、または、ステップＳ１７、Ｓ１８とステップＳ１３以降を繰り返し実行する。
【００３４】
上記のＣＨ順選局処理によると、例えば現在日時が４／２（Ｍｏｎ）のＡＭ３：３０である場合には、図３のＣＨ無番組時間帯情報２０を参照すると、１チャンネルと２チャンネルと４チャンネルでは番組が放送されていて、３チャンネルと５チャンネルでは番組が放送されていないことがわかる。このため、ＣＨ  ＵＰキー１９ａによりチャンネルの昇順選局指示が入力されると、例えば図５に示すように、１チャンネルの次に２チャンネルが選局され、次に３チャンネルの選局がスキップされて４チャンネルが選局され、次に５チャンネルの選局がスキップされるようになる。また、ＣＨ  ＤＯＷＮキー１９ｂによりチャンネルの降順選局指示が入力されると、例えば図５に示すように、５チャンネルの選局がスキップされて４チャンネルが選局され、次に３チャンネルの選局がスキップされて２チャンネルが選局され、次に１チャンネルが選局されるようになる。
【００３５】
以上によれば、デジタル放送のチャンネルの順選局時に、番組が放送されていないチャンネルの選局がスキップされて、番組が放送されているチャンネルのみが選局されるので、番組が放送されている所望のチャンネルへの切り替えを迅速に行うことができる。また、番組が放送されていないチャンネルの不要な映像（砂あらし画像）がＬＣＤモジュール１８に表示されず、該チャンネルの不要な音声（ノイズ音）がスピーカ１７から出力されないので、ユーザが該不要な映像と音声を視聴して不快になるのを防止することができる。
【００３６】
また、放送信号より検出したＴＳから各チャンネルの一定期間の番組が放送されない時間帯を検出して記憶することにより、ＣＨ無番組時間帯情報２０を作成または更新するので、一定期間内ではＣＨ無番組時間帯情報２０を更新する必要がなく、図２のＣＨ順選局準備処理（ＣＨ無番組時間帯情報２０の作成や更新）にかかる時間とマイコン１６等の負担を軽減することができる。
【００３７】
また、ＣＨ無番組時間帯情報２０の作成や更新を、デジタル放送受信装置１００の起動時に行って、以降の駆動中に行わないようにすることで、以降の駆動中にＣＨ順選局準備処理にかかる時間と負担を省略することができる。また、ＣＨ無番組時間帯情報２０の作成や更新を、一定期間毎または一定期間より若干短い期間毎に定期的に行うことで、ＣＨ順選局準備処理の実行頻度を減少させて、該処理にかかる時間と負担を軽減することができる。さらに、上記のようにＣＨ無番組時間帯情報２０の作成や更新を行うことで、ＣＨ無番組時間帯情報２０の正確さを保持して、番組が確実に放送されている所望のチャンネルへの切り替えを常に迅速に行うことができる。
【００３８】
本発明は、以上の実施形態以外にも種々の形態を採用することができる。例えば、以上の実施形態では、ＤＶＢ  ＳＩ規格に準拠したデジタル放送とアナログ放送を受信して、各チャンネルの放送番組の映像と音声を表示するテレビジョン受像機から成るデジタル放送受信装置１００に、本発明を適用した例を挙げたが、本発明はこれのみに限定するものではない。これ以外に、本発明は、例えば少なくともＤＶＢ  ＳＩ規格またはその他の規格に準拠したデジタル放送を受信する、テレビジョン受像機、光ディスクレコーダ、ハードディスクレコーダ、セットトップボックス、またはこれらの少なくとも２つが一体になったＡＶ複合装置等のような、デジタル放送受信装置に適用することができる。
【図面の簡単な説明】
【００３９】
【図１】デジタル放送受信装置のブロック図である。
【図２】ＣＨ順選局準備処理の手順を示すフローチャートである。
【図３】ＣＨ無番組時間帯情報を示す図である。
【図４】ＣＨ順選局処理の手順を示すフローチャートである。
【図５】チャンネルの順選局例を示す図である。
【符号の説明】
【００４０】
３  ハイブリッドチューナ
４  デモジュレータ
６  ハイブリッドプロセッサ
７  オーディオＤＡＣ
１６  マイクロコンピュータ
１６ａ  メモリ
１７  スピーカ
１８  ＬＣＤモジュール
１９ａ  ＣＨ ＵＰキー
１９ｂ  ＣＨ ＤＯＷＮキー
２０  ＣＨ無番組時間帯情報
１００  デジタル放送受信装置
【図１】
2008288676.tif 000003
【図２】
2008288676.tif 000004
【図３】
2008288676.tif 000005
【図４】
2008288676.tif 000006
【図５】
2008288676.tif 000007